(57)【要約】      （修正有）【課題】排出トレイ上に積載された原稿を支持して原稿の取り出し性を向上した原稿搬送読取装置を提供する。【解決手段】原稿搬送部によって搬送されて原稿搬送路から排出された原稿100が積載される排出トレイ105と、該排出トレイ105上に積載された原稿100を支持する支持リブ108と、を有し、排出トレイ105と支持リブ108のうち少なくとも一方を相対的に移動して排出トレイ105上に積載された原稿100を支持リブ108により支持する。【選択図】図４
2015024879.tif 000002
【特許請求の範囲】
【請求項１】
原稿を載置する給送トレイと、
前記給送トレイ上に載置された原稿を１枚ずつ分離して搬送する搬送手段と、
前記搬送手段によって搬送された原稿上の画像を読み取る画像読取手段と、
前記画像読取手段によって画像が読み取られ、更に前記搬送手段によって搬送されて原稿搬送路から排出された原稿が積載される排出トレイと、
前記排出トレイ上に積載された原稿を支持する支持部材と、
を備え、
前記排出トレイと前記支持部材のうち少なくとも一方を相対的に移動して前記排出トレイ上に積載された原稿を前記支持部材により支持することを特徴とする原稿搬送読取装置。
【請求項２】
前記給送トレイ上に載置された全ての原稿が前記排出トレイ上に積載された後、前記排出トレイと前記支持部材のうち少なくとも一方を相対的に移動して前記排出トレイ上に積載された原稿を前記支持部材により支持することを特徴とする請求項１に記載の原稿搬送読取装置。
【請求項３】
前記排出トレイを昇降する昇降手段を有し、
前記昇降手段により前記排出トレイを下降することによって、前記排出トレイの積載面から前記支持部材が突出し、前記排出トレイ上に積載された原稿を支持することを特徴とする請求項１または請求項２に記載の原稿搬送読取装置。
【請求項４】
前記支持部材を昇降する昇降手段を有し、
前記昇降手段により前記支持部材を上昇することによって、前記排出トレイの積載面から前記支持部材が突出し、前記排出トレイ上に積載された原稿を支持することを特徴とする請求項１または請求項２に記載の原稿搬送読取装置。
【請求項５】
前記排出トレイは傾斜面を備え、該傾斜面の下部近傍には、前記排出トレイ上に積載された原稿の少なくとも一辺が突き当たる整合面を備え、前記傾斜面の上部近傍に前記支持部材を備えていることを特徴とする請求項１〜４のいずれか１項に記載の原稿搬送読取装置。
【発明の詳細な説明】
【技術分野】
【０００１】
本発明は、原稿を搬送して原稿画像を読み取る原稿搬送読取装置に関するものである。
【背景技術】
【０００２】
従来、ＡＤＦ（Auto Document Feeder）を備えた原稿搬送読取装置において、原稿画像の読み取りが終了した原稿は排出トレイ上に排出される。排出トレイは排出方向下流側に向かって高くなるように傾斜面が形成されており、排出トレイ上に排出された原稿は排出トレイ上の傾斜面に沿って排出トレイ上を滑り落ちて排出ローラ近傍の略垂直な整合面に突き当たって停止する。次々に排出される原稿は同様の動きをするので、排出された原稿は排出ローラ近傍の整合面に沿って一辺が整合された状態で積載される。
【０００３】
特許文献１には、排出トレイ上に大きな凹部を設け、そこから手を入れる構成が記載されている。この凹部と排出トレイ上に積載された原稿との間に手を入れて、積載された原稿の取り出し性を向上させようとするものである。
【先行技術文献】
【特許文献】
【０００４】
【特許文献１】特開２００７−３０２３８７号公報
【発明の概要】
【発明が解決しようとする課題】
【０００５】
しかしながら、特許文献１では、排出トレイ上に大きな凹部を設けることにより、排出された原稿がその凹部に落ち込んで撓んでしまい、排出トレイ上を滑らないことがあった。排出された原稿が排出トレイの傾斜面上を滑らないと該排出トレイ上の端部ストッパまで原稿が戻りきらず、排出方向の整合性が低下してしまう。また、凹部と排出トレイ上に積載された原稿との間のスペースが狭くなり、取り出し性が低下する。排出トレイ上の原稿の動きを良くするために排出トレイの排出方向下流側を高くすると、排出トレイの上方に配置された給送トレイとの間が狭くなり、原稿を取り出す際に手が入り難くなり、排出トレイ上に排出された原稿の取り出し性を低化させていた。
【０００６】
本発明は前記課題を解決するものであり、その目的とするところは、排出トレイ上に積載された原稿を支持して原稿の取り出し性を向上した原稿搬送読取装置を提供するものである。
【課題を解決するための手段】
【０００７】
前記目的を達成するための本発明に係る原稿搬送読取装置の代表的な構成は、原稿を載置する給送トレイと、前記給送トレイ上に載置された原稿を１枚ずつ分離して搬送する搬送手段と、前記搬送手段によって搬送された原稿上の画像を読み取る画像読取手段と、前記画像読取手段によって画像が読み取られ、更に前記搬送手段によって搬送されて原稿搬送路から排出された原稿が積載される排出トレイと、前記排出トレイ上に積載された原稿を支持する支持部材と、を備え、前記排出トレイと前記支持部材のうち少なくとも一方を相対的に移動して前記排出トレイ上に積載された原稿を前記支持部材により支持することを特徴とする。
【発明の効果】
【０００８】
上記構成によれば、排出トレイと支持部材のうち少なくとも一方を相対的に移動して排出トレイ上に積載された原稿を支持部材により支持することで原稿の取り出し性を向上することが出来る。
【図面の簡単な説明】
【０００９】
【図１】本発明に係る原稿搬送読取装置の第１実施形態の構成を示す斜視説明図である。
【図２】第１実施形態において排出トレイが下降して排出トレイの積載面から支持部材が突出する様子を示す斜視説明図である。
【図３】第１実施形態において原稿が排出トレイの傾斜面を滑り落ちて整合面に突き当たる様子を説明する斜視説明図である。
【図４】第１実施形態において排出トレイが下降して支持部材により原稿が支持された様子を説明する斜視説明図である。
【図５】（ａ），（ｂ）は第１実施形態において排出トレイを昇降させる昇降手段の構成を示す斜視説明図である。
【図６】第１実施形態の排出トレイの昇降高さの上下限を検知するセンサの構成を示す図である。
【図７】第１実施形態の制御系の構成を示すブロック図である。
【図８】第１実施形態の制御を説明するフローチャートである。
【図９】本発明に係る原稿搬送読取装置の第２実施形態の構成を示す斜視説明図である。
【図１０】（ａ），（ｂ）は第２実施形態において排出トレイが下降して排出トレイの積載面から支持部材が突出する様子を示す斜視説明図である。
【図１１】第２実施形態において排出トレイが下降して支持部材により原稿が支持された様子を説明する斜視説明図である。
【図１２】本発明に係る原稿搬送読取装置の第３実施形態の構成を示す斜視説明図である。
【図１３】（ａ），（ｂ）は第３実施形態において支持部材が昇降し、排出トレイから出没する様子を示す斜視説明図である。
【発明を実施するための形態】
【００１０】
図により本発明に係る原稿搬送読取装置の一実施形態を具体的に説明する。
【実施例１】
【００１１】
先ず、図１〜図８を用いて本発明に係る原稿搬送読取装置の第１実施形態の構成について説明する。図１は本発明に係る原稿搬送読取装置の概略構成を示す斜視説明図である。尚、図１に示す原稿搬送読取装置101は一例に過ぎず、ファクシミリ装置や複合機等に装備される原稿搬送読取装置にも適用可能である。
【００１２】
図１に示すように、原稿搬送読取装置101はシート状の原稿100を載置する給送原稿載置部である給送トレイ102を有する。更に、給送トレイ102上（給送トレイ上）に載置された原稿100を１枚ずつ分離して搬送する搬送手段となる原稿搬送部103を有する。原稿搬送部103は各種の搬送ローラや搬送ベルト等を有して複数枚の原稿100の流し読みを行う自動原稿搬送装置（ＡＤＦ；Auto Document Feeder）からなる。
【００１３】
原稿搬送部103は原稿搬送モータ120を駆動することによって搬送ローラや搬送ベルト等を駆動して給送トレイ102上に載置された原稿100を分離搬送する。更に、原稿搬送部103によって搬送された原稿100上（原稿上）の画像を読み取る画像読取手段となる読取センサ115を搭載したリーダ部104とを有して構成される。
【００１４】
原稿搬送読取装置101は、原稿搬送部103によって搬送された原稿100の表面上に形成された原稿画像をリーダ部104の読取センサ115によって読み取る。更に原稿搬送部103によって搬送されて原稿搬送路から排出された原稿100が積載される排出原稿積載部である排出トレイ105を備えて構成されている。
【００１５】
また、図２に示すように、排出トレイ105上（排出トレイ上）に積載された原稿100の最下面に当接して該原稿100を支持する支持部材となる支持リブ108を有している。排出トレイ105と支持リブ108のうち少なくとも一方を相対的に移動して該排出トレイ105上に積載された原稿100を支持リブ108により支持するように構成される。
【００１６】
排出トレイ105上に積載された原稿100を支持リブ108により支持するタイミングとしては以下の通りである。給送トレイ102上に載置された全ての原稿100が排出トレイ105上に積載された後、排出トレイ105と支持リブ108のうち少なくとも一方を相対的に移動して排出トレイ105上に積載された原稿100を支持リブ108により支持する。
【００１７】
図３は本実施形態の原稿搬送読取装置101の構成を示す斜視図であるが、説明の都合上、給送トレイ102を省略した図である。図３に示すように、排出トレイ105には傾斜面105ａが設けられている。排出トレイ105の傾斜面105ａは、方形状で構成され、その４隅の位置Ｗ，Ｘ，Ｙ，Ｚのそれぞれの高さＨＷ，ＨＸ，ＨＹ，ＨＺは、以下の数１式の関係に設定されている。
【００１８】
［数１］
ＨＷ＞ＨＸ＞ＨＹ＞ＨＺ
【００１９】
図３に示すように、排出トレイ105の傾斜面105ａ上に排出された原稿100は、該傾斜面105ａ上をその４隅の位置Ｗ，Ｘ，Ｙ，Ｚの高さＨＷ，ＨＸ，ＨＹ，ＨＺが低い方に移動する。つまり、図３の矢印Ａ方向に排出された原稿100は排出トレイ105の傾斜面105ａに沿って図３の矢印α方向に滑り落ちる。
【００２０】
一方、排出トレイ105の傾斜面105ａの下部近傍は排出トレイ105の傾斜面105ａの４隅の位置Ｗ，Ｘ，Ｙ，Ｚのうちで最も低い高さＨＺに設定された位置Ｚの近傍である。その下部近傍には、該排出トレイ105の傾斜面105ａ上に積載された原稿100の少なくとも一辺が突き当たる整合面106，107が設けられている。本実施形態では、原稿100の二辺が整合面106，107にそれぞれ突き当たる。
【００２１】
排出トレイ105の傾斜面105ａの４隅の位置Ｗ，Ｘ，Ｙ，Ｚのうちで最も低い高さＨＺに設定された位置Ｚに原稿100の４隅のうちの一角が位置決めされる。その一角を挟む直交する二辺が整合面106と、整合面107とにそれぞれ付き当たった位置で停止する。
【００２２】
排出トレイ105の傾斜面105ａ上に順次排出される原稿100は同様にして排出トレイ105の傾斜面105ａに沿って図３の矢印α方向に滑り落ちる。そして、整合面106，107により原稿100の隣り合って直交する二辺が整合された状態で排出トレイ105上に積載される。このとき、排出トレイ105は図１に示す位置にあり、図１の高さ方向（上下方向）において排出トレイ105の上部と給送トレイ102の下部とに挟まれた取り出し領域121は狭くなっている。取り出し領域121は排出トレイ105上に積載された原稿100を取り出すためにユーザが手を入れる領域である。
【００２３】
本実施形態の排出トレイ105は、図５（ａ），（ｂ）に示す昇降手段となるリフタ装置110により昇降される。給送トレイ102上に載置された全ての原稿100の原稿画像の読み取りが終了し、全ての原稿100が排出トレイ105上に積載されると、排出トレイ105はリフタ装置110の下降動作により図２及び図４に示す位置まで下降する。
【００２４】
本実施形態の排出トレイ105には、貫通穴からなる複数のスリット105ｂが互いに所定ピッチ離間して設けられている。スリット105ｂに対応する位置には、図１に示す高さ位置に設定された排出トレイ105の傾斜面105ａ（原稿積載面）と略同じ高さを有する複数の支持リブ108が互いに所定ピッチ離間して排出トレイ105の下部の装置フレームに固定されている。
【００２５】
リフタ装置110の下降動作により排出トレイ105を図２及び図４に示す位置まで下降することにより、支持リブ108が排出トレイ105のスリット105ｂを通過して突出する。これにより、排出トレイ105の傾斜面105ａからなる積載面から支持リブ108が突出し、排出トレイ105の傾斜面105ａ上に積載された原稿100を支持する。本実施形態の支持リブ108及びスリット105ｂは、排出トレイ105の傾斜面105ａの上部近傍（排出トレイ105の傾斜面105ａの４隅の位置Ｗ，Ｘ，Ｙ，Ｚのうちで最も高い高さＨＷに設定された位置Ｗの近傍）に配置されている。
【００２６】
このように、本実施形態では、相対的に支持リブ108が排出トレイ105に対して突出する状態になる。そして、図４に示すように、原稿100の一部を支持した状態になる。つまり、排出トレイ105上に積載された原稿100は、傾斜面105ａの高さが低い側の二辺を整合面106，107に突き当てられた状態で、残りの傾斜面105ａの高さが高い側の二辺を支持リブ108によって支持された状態になる。
【００２７】
支持リブ108は排出トレイ105の傾斜面105ａ上に積載された原稿100の重心位置に対して整合面106，107とは反対側を支持するように配置されている。このため、ユーザが原稿100の高さが高い側を支持した状態でも原稿100の高さが低い側の二辺が整合面106，107から離れることがなく、整合性が保持される。
【００２８】
図２に示すように、リフタ装置110の下降動作により排出トレイ105が下降したとき、図２の高さ方向（上下方向）において排出トレイ105の上部と給送トレイ102の下部とに挟まれた取り出し領域121は広くなり、手が入れ易くなっている。また、所定ピッチで配置された支持リブ108の間に手が入る挿入領域121ａができるため、更に原稿100を取り出し易くなっている。
【００２９】
＜昇降手段＞
次に図５及び図６を用いて排出トレイ105を昇降する昇降手段となるリフタ装置110の構成について説明する。図５は、説明の都合上、排出トレイ105を板状で示し、排出トレイ105のスリット105ｂを挿通する支持リブ108を示した模式図である。図５（ａ）はリフタ装置110の上昇動作により排出トレイ105が上昇して高さ方向における上限位置に設定された状態を示す。図５（ｂ）はリフタ装置110の下降動作により排出トレイ105が下降して高さ方向における下限位置に設定された状態を示す。
【００３０】
排出トレイ105は図３に示す位置Ｚの近傍で装置フレームに設けられた回動軸109を中心に回動自在に支持されている。リフタ装置110は装置フレームに支持された駆動源となるリフタモータ111を有する。更に、装置フレームに回転自在に軸支された駆動軸112ａを有する。駆動軸112ａはウォームギア113を介してリフタモータ111により回転駆動される。更に、駆動軸112ａに固定され、該駆動軸112ａを中心に回動するアーム部112を有する。更に、アーム部112の端部に設けられ、排出トレイ105の下面に当接摺動する当接部112ｂとを有して構成されている。
【００３１】
排出トレイ105上に原稿100が積載されている最中は排出トレイ105及び原稿100の自重により、アーム部112の当接部112ｂが排出トレイ105の下面に当接している。排出トレイ105上に全ての原稿100が積載されると、図７に示す制御手段となるＣＰＵ（Central Processing Unit；中央演算装置）119によりリフタモータ111が駆動される。
【００３２】
そして、ウォームギア113を介して駆動軸112ａが回転する。駆動軸112ａが回転することによって、アーム部112は駆動軸112ａを中心に図５（ａ）の矢印Ｂ方向に回動する。排出トレイ105は自重によりアーム部112の端部に設けられた当接部112ｂと当接しながら回動軸109を中心に図５（ａ）の矢印Ｃ方向に回動して下降する。
【００３３】
支持リブ108の上辺108ａは排出トレイ105のスリット105ｂ内に挿入された状態で排出トレイ105の原稿積載面となる傾斜面105ａと略同じ高さレベルに設定されている。これにより、排出トレイ105上に積載された原稿100は支持リブ108により支持される。これにより、リフタモータ111にかかる負荷は原稿100の重量による影響を受け難い。
【００３４】
また、図６に示すように、駆動軸112ａには、円板状のフラグ122が設けられている。フラグ122の周囲には、排出トレイ105の上限位置を検知する上限検知センサ117と、排出トレイ105の下限位置を検知する下限検知センサ118とが所定の角度ずれた位置に配置されている。
【００３５】
上下限検知センサ117，118によりフラグ122に設けられた切欠部122ａの通過を検知することにより駆動軸112ａを中心に回動するアーム部112の位置が排出トレイ105の上限位置にあるか、或いは下限位置にあるかを検知する。
【００３６】
更に、排出トレイ105には、排出トレイ105上に積載された原稿100を検知する排出原稿検知センサ116が設けられている。排出原稿検知センサ116は反射式の光学センサが適用出来る。排出トレイ105上に積載された原稿100が支持リブ108に支持されて排出トレイ105上から浮いた位置にあっても検知できるようになっている。
【００３７】
＜排出トレイの昇降動作＞
次に図７及び図８を用いて排出トレイ105の昇降動作について説明する。図７は制御系の構成を示すブロック図である。図８は排出トレイ105の昇降動作を説明するフローチャートである。
【００３８】
給送トレイ102上には、給送原稿検知センサ114が設けられており、給送トレイ102上に載置された原稿100の有無を検知する。給送トレイ102上に原稿100が載置された状態で読取動作が開始されると、図７に示すＣＰＵ119からの命令によって原稿搬送モータ120が駆動され、搬送ローラや搬送ベルト等を備えた原稿搬送部103によって原稿100が搬送される。原稿搬送部103によって搬送された原稿100は、リーダ部104に備えられた読取センサ115によって原稿画像が読み取られ、排出トレイ105上に積載される。
【００３９】
図８のステップＳ１において、給送トレイ102上の最終の原稿100が給送されたか否かを給送原稿検知センサ114のＯＮ／ＯＦＦによって検知する。ステップＳ１において給送原稿検知センサ114がＯＦＦであれば、給送トレイ102上の最終の原稿100が給送されて給送トレイ102上に原稿100が残っていないと判断する。そして、ステップＳ２に進んで読取センサ115により最終の原稿100の原稿画像の読取動作が終了したか否かを判断する。
【００４０】
前記ステップＳ２において、読取センサ115により最終の原稿100の原稿画像の読取動作が終了した場合には、全ての原稿100が排出トレイ105上に積載された状態になっている。そして、ステップＳ３に進んでリフタ装置110のリフタモータ111を駆動して排出トレイ105を下降させる。アーム部112の回動角度が排出トレイ105の下限位置まで達して、ステップＳ４において排出トレイ105の下限検知センサ118がＯＮする。すると、ステップＳ５においてリフタモータ111の駆動を停止させて排出トレイ105の下降動作を停止させる。
【００４１】
図４に示すように、排出トレイ105上に積載され、支持リブ108により支持された原稿100がユーザにより取り除かれるのを待つ。排出トレイ105上には、排出原稿検知センサ116が設けられており、排出トレイ105上の原稿100の有無を検知できるようになっている。排出トレイ105から原稿100が取り除かれると、ステップＳ６において排出原稿検知センサ116がＯＦＦとなり、排出原稿検知センサ116の検知情報がＣＰＵ119に送られる。
【００４２】
ステップＳ７において、ＣＰＵ119はリフタモータ111を駆動して排出トレイ105を上昇させる。アーム部112の回動角度が排出トレイ105の上限位置まで達して、ステップＳ８において排出トレイ105の上限検知センサ117がＯＮすると、ステップＳ９においてリフタモータ111の駆動を停止させて排出トレイ105の上昇動作を停止させる。
【００４３】
本実施形態では、排出トレイ105が昇降可能に構成される。原稿100の排出時は排出トレイ105が上限位置にあり、原稿100が滑り易い平らな傾斜面105ａを形成し、原稿100が排出トレイ105の傾斜面105ａ上を滑ることによって、整合面106，107に当接して整合される動作を妨げることがない。また、原稿100の排出完了後には、排出トレイ105が下降する。
【００４４】
このため、排出トレイ105の上部にある給送トレイ102との間の取り出し領域121を大きくとることができる。また、排出された排出トレイ105上の原稿100は支持リブ108の上辺108ａ上に積載された状態になる。このため、支持リブ108の間から手を入れることが可能であり、排出トレイ105上に排出された原稿100の取り出し性も向上する。
【実施例２】
【００４５】
次に、図９〜図11を用いて本発明に係る原稿搬送読取装置の第２実施形態の構成について説明する。尚、前記第１実施形態と同様に構成したものは同一の符号、或いは符号が異なっても同一の部材名を付して説明を省略する。
【００４６】
図９及び図11は本実施形態の原稿搬送読取装置201において、説明の都合上、給送トレイ102を省略した斜視図である。原稿搬送読取装置201は、前記第１実施形態の原稿搬送読取装置101と略同様に構成されているため重複する説明は省略する。本実施形態では、前記第１実施形態と同様に構成される昇降手段となるリフタ装置110により昇降可能な排出トレイ205の回動中心となる回動軸209の方向を原稿200の排出方向（図９の矢印Ａ方向）に対して略直角方向に設定している。
【００４７】
本実施形態の排出トレイ205は、原稿200の排出方向（図９の矢印Ａ方向）に沿って先端部205ｃに向かって高くなるように傾斜面205ａが設けられている。このため、排出トレイ205の傾斜面205ａ上に排出された原稿200は図９の矢印Ａ方向で示す排出方向とは反対方向に滑るようになっている。本実施形態の排出トレイ205の傾斜面205ａの下部近傍には排出トレイ205の傾斜面205ａ上に積載された原稿200の一辺が突き当たる整合面206が設けられている。これにより、図９の矢印Ａ方向に排出された原稿200は排出トレイ205の傾斜面205ａ上を図９の矢印β方向に滑り落ち、原稿200の一辺のみが整合面206に突き当てられて整合積載される。
【００４８】
排出トレイ205上への原稿200の積載が完了すると、図５に示して前述したリフタ装置110の下降動作により排出トレイ205は図10（ａ）に示す上限位置から図10（ｂ）に示す下限位置に下降する。
【００４９】
排出トレイ205が図10（ｂ）に示す下限位置に下降する。これによって排出トレイ205の下部に設けられた図示しない装置フレームに固定された支持部材となる支持リブ208が排出トレイ205を貫通して設けられた貫通穴からなるスリット205ｂを通過して排出トレイ205の積載面から突出する。支持リブ208及びスリット205ｂは排出トレイ205の傾斜面205ａの上部近傍に配置されている。
【００５０】
図11に示すように、排出トレイ205上に積載された原稿100は支持リブ208によって端部が支持されるようになっている。図11に示すように、排出トレイ205が下降し、支持リブ208が突出するようになっているため排出トレイ205上に排出積載された原稿200は片側が支持される。
【００５１】
支持リブ208の上辺208ａは排出トレイ205のスリット205ｂ内に挿入された状態で排出トレイ205の原稿積載面となる傾斜面205ａと略同じ高さレベルに設定されている。これにより、排出トレイ205上に積載された原稿200は支持リブ208により支持される。これにより、リフタモータ111にかかる負荷は原稿200の重量による影響を受け難い。
【００５２】
所定ピッチで離間された複数の支持リブ208の間には手が入れ易く、原稿200を図11の矢印Ｄ方向への取り出し性が向上する。また、本実施形態では、原稿200を装置奥側（図11の右側）に寄せていないので、原稿200を取り出す際に給送トレイ102と排出トレイ205との間の取り出し領域121に手を入れる深さが浅くなり、更に原稿200の取り出し性が良くなる。他の構成は前記第１実施形態と同様に構成され、同様の効果を得ることが出来る。
【実施例３】
【００５３】
次に図12及び図13を用いて本発明に係る原稿搬送読取装置の第３実施形態の構成について説明する。尚、前記第１実施形態と同様に構成したものは同一符号、或いは符号が異なっても同一の部材名を付して説明を省略する。
【００５４】
図12は本実施形態の原稿搬送読取装置301において、説明の都合上、図１及び図２に示された給送トレイ102を省略した斜視図である。原稿搬送読取装置301は、前記第１実施形態の原稿搬送読取装置101と略同様に構成されているため重複する説明は省略する。本実施形態では、図12及び図13に示すように、図示しない給送トレイ上に載置された原稿300を１枚ずつ分離して搬送する搬送手段となる原稿搬送部303を有する。
【００５５】
そして、原稿搬送部303によって搬送された原稿300上の画像を読み取る画像読取手段となる読取センサを備えたリーダ部304によって画像が読み取られる。更に原稿搬送部303によって搬送されて原稿搬送路から排出された原稿300が積載される排出トレイ305上に積載された原稿300を支持する支持手段となる支持リブ308がベース部308ｃに立設して設けられている。
【００５６】
排出トレイ305は装置フレームに軸支された回動軸309を中心に回動可能に設けられている。ベース部308ｃは装置フレームに軸支された回動軸308ｄを回動中心として回動可能となっている。ベース部308ｃに設けられた支持リブ308が回動軸308ｄを中心に回動することによって、排出トレイ305の原稿積載面からスリット305ｂを挿通して支持リブ308が突出する。
【００５７】
図13（ａ），（ｂ）により排出トレイ305の原稿積載面からスリット305ｂを挿通して支持リブ308が突出する構成について説明する。図13（ａ），（ｂ）では説明の都合上、排出トレイ305を板状で示し、排出トレイ305のスリット305ｂを挿通する支持リブ308を示した模式斜視図である。図13（ａ）は支持リブ308を昇降する昇降手段となるリフタ装置310の下降動作により支持リブ308が高さ方向（図13（ａ）の上下方向）における下限位置に設定された状態を示す。図13（ｂ）はリフタ装置310の上昇動作により支持リブ308が高さ方向（図13（ｂ）の上下方向）における上限位置に設定された状態を示す。
【００５８】
リフタ装置310は装置フレームに支持された駆動源となるリフタモータ311を有する。更に、装置フレームに回転自在に軸支された駆動軸312ａを有する。駆動軸312ａはウォームギア313を介してリフタモータ311により回転駆動される。更に、駆動軸312ａに固定され、該駆動軸312ａを中心に回動するアーム部312を有する。更に、アーム部312の端部に設けられ、支持リブ308のベース部308ｃの下面に当接摺動する当接部312ｂとを有して構成されている。
【００５９】
排出トレイ305へ原稿300を排出している動作中は、支持リブ308は、図13（ａ）に示す位置にあり、排出トレイ305の原稿積載面から突出することはなく、原稿300の積載動作に影響を与えることはない。
【００６０】
本実施形態においても排出トレイ305の傾斜面305ａの下部近傍は排出トレイ305の傾斜面305ａの４隅の位置Ｗ，Ｘ，Ｙ，Ｚのうちで最も低い高さＨＺに設定された位置Ｚの近傍である。その下部近傍には、該排出トレイ305の傾斜面305ａ上に積載された原稿300の少なくとも一辺が突き当たる整合面306，307が設けられている。本実施形態では、原稿300の二辺が整合面306，307にそれぞれ突き当たる。
【００６１】
排出トレイ305への原稿300の排出動作が終了するとリフタ装置310が駆動されてリフタ装置310により支持リブ308を上昇する。これによって排出トレイ305上に積載された原稿300の下から支持リブ308が排出トレイ305の積載面から突出する。これにより排出トレイ305上に積載された原稿300を支持しながら図13（ｂ）に示す状態になる。
【００６２】
尚、リフタ装置310の駆動制御は、図７及び図８に示して前述した第１実施形態のリフタ装置110のリフタモータ111を昇降する代わりにリフタ装置310のリフタモータ311を図８のステップＳ３においてリフタモータ311を上昇回転する。そして、図８のステップＳ４において上限検知センサ117がＯＮとなり、図８のステップＳ７においてリフタモータ311を下降回転する。そして、図８のステップＳ８において下限検知センサ118がＯＮとなる。その他は前記第１実施形態と略同様な制御であるため重複する説明は省略する。
【００６３】
本実施形態においても排出トレイ305と、支持リブ308との少なくとも一方を相対的に移動して排出トレイ305上に積載された原稿300を支持リブ308により支持する。そして、排出トレイ305への原稿排出が終了し、支持リブ308で原稿300を支持すると、所定ピッチで配置された複数の支持リブ308の間から手を入れて原稿300の取り出しを容易に行うことが可能になる。
【００６４】
原稿300が排出トレイ305から取り除かれた後、再び、支持リブ308が図13（ｂ）に示す位置まで下降する。そして、支持リブの上辺308ａが排出トレイ305の原稿積載面以下の初期位置に戻る。これ等の制御も前記第１実施形態と略同様であるため重複する説明は省略する。他の構成は前記各実施形態と同様に構成され、同様の効果を得ることが出来る。
【００６５】
＜他の実施形態＞
更に、他の実施形態として、図示しないが前記第１、第２実施形態の排出トレイ105，205のリフタ装置110の構成と、前記第３実施形態の支持リブ308のリフタ装置310の構成とを同時に備えた構成とすることも出来る。
【００６６】
排出トレイ105，205，305上への原稿100，200，300の排出動作が終了後、排出トレイ105，205，305が所定量下降しながら、支持リブ108，208，308が所定量上昇する構成とすることも出来る。この場合、リフタモータ111，311等の駆動源はリフタ装置110，310のそれぞれに別々に備えていても良いし、単一の駆動源からの駆動を所定のギア列等により適宜の方向に駆動伝達することで利用しても良い。
【００６７】
このような構成であれば、排出トレイ105，205，305と、支持リブ108，208，308とを同時に駆動させる。このため、それぞれの移動量が少なくても原稿100，200，300を排出トレイ105，205，305に対して、最適な高さで支持することが可能になる。これにより、全ての原稿100，200，300を排出トレイ105，205，305上に排出してから支持リブ108，208，308により原稿100，200，300を支持するまでの時間の短縮を図ることが可能となる。他の構成は前記各実施形態と同様に構成され、同様の効果を得ることが出来る。
【符号の説明】
【００６８】
100   …原稿
103   …原稿搬送部(搬送手段)
105   …排出トレイ
108   …支持リブ(支持部材)
【図１】
2015024879.tif 000003
【図２】
2015024879.tif 000004
【図３】
2015024879.tif 000005
【図４】
2015024879.tif 000006
【図５】
2015024879.tif 000007
【図６】
2015024879.tif 000008
【図７】
2015024879.tif 000009
【図８】
2015024879.tif 000010
【図９】
2015024879.tif 000011
【図１０】
2015024879.tif 000012
【図１１】
2015024879.tif 000013
【図１２】
2015024879.tif 000014
【図１３】
2015024879.tif 000015